(57)【要約】【課題】  複数の光源からなる光源群に対して開口を設けられる反射シートにおいて、反射効率の低下を抑制することが可能な照明装置を提供することを目的とする。【解決手段】  本発明の照明装置１００は、それぞれが複数の緑ＬＥＤ光源７１と青ＬＥＤ光源７２とを含む複数の光源からなる複数の光源群７０が配置された光源基板６０と、光源基板６０の前面側に設けられ、光を反射する反射シート５０と、を備え、反射シート５０は、各光源群７０の複数の光源が露出するように、複数の光源群７０に設けられた複数の第１開口５１を備え、第１開口５１は、第１開口５１に対応する光源群７０の複数の緑ＬＥＤ光源７１の外周を囲む矩形領域Ｒ３のうち、青ＬＥＤ光源７２の近傍に凹部を有する形状であることを特徴とする。【選択図】  図２
2018032586.tif 000002
【特許請求の範囲】
【請求項１】
それぞれが複数の第１光源と前記第１光源と異なる第２光源とを含む複数の光源からなる複数の光源群が配置された光源基板と、
前記光源基板の前面側に設けられ、光を反射する反射部材と、
を備え、
前記反射部材は、各光源群の前記複数の光源が露出するように、前記複数の光源群に設けられた複数の第１開口を備え、
前記第１開口は、前記第１開口に対応する光源群の前記複数の第１光源の外周を囲む第１矩形領域のうち、前記第２光源の近傍に凹部を有する形状であることを特徴とする照明装置。
【請求項２】
前記第１開口の縁から、対応する前記光源群に含まれる前記複数の光源までの距離は、所定の距離だけ離れていることを特徴とする請求項１に記載の照明装置。
【請求項３】
前記反射部材は、前記第１開口の前記凹部に対応する凸部を有することを特徴とする請求項１または請求項２に記載の照明装置。
【請求項４】
各光源群は、複数の第２光源を備え、
同じ光源群が有する前記複数の第２光源の間の距離は、同じ光源群が有する前記複数の第１光源の間の距離の最小値よりも短いことを特徴とする請求項１乃至請求項３のいずれか１項に記載の照明装置。
【請求項５】
前記第１光源と、前記第２光源とは、それぞれ長方形の外形を有することを特徴とする請求項１乃至請求項４のいずれか１項に記載の照明装置。
【請求項６】
前記第１光源の長手方向は、前記第２光源の長手方向に対して、略垂直の関係であることを特徴とする請求項５に記載の照明装置。
【請求項７】
前記第１光源は、第１の色の光を発する光源であり、前記第２光源は、前記第１の色と異なる第２の色の光を発する光源であることを特徴とする請求項１乃至請求項６のいずれか１項に記載の照明装置。
【請求項８】
各光源群は、複数の前記第２光源を備え、
前記複数の第２光源は、前記第１の色と異なる第３の色を発する複数の第３光源と、前記第１の色および前記第３の色と異なる第４の色を発する複数の第４光源とを含み、
同じ光源群が有する前記複数の第３光源の間の距離、および、同じ光源群が有する前記複数の第４光源の間の距離は、同じ光源群が有する複数の第１光源の間の距離の最小値よりも短いことを特徴とする請求項１乃至請求項６のいずれか１項に記載の照明装置。
【請求項９】
前記光源基板は、隣接する２つの前記光源群の間に、光センサを備え、
前記光センサを露出するように前記反射部材に設けられた第２開口は、前記隣接する２つの光源群の前記第１開口と、連通していることを特徴とする請求項１乃至請求項８のいずれか１項に記載の照明装置。
【請求項１０】
前記第２開口の面積は、前記第１開口の面積よりも小さいことを特徴とする請求項９に記載の照明装置。
【請求項１１】
前記反射部材の前記第２開口の光センサを挟んで対向する両側に第１貫通穴を設け、
前記光源基板の第１貫通穴に対応した位置に第２貫通穴を設け、
前記反射部材と前記光源基板とは、前記第１貫通穴と、前記第２貫通穴とに挿通される締結部材によって固定されることを特徴とする請求項９または請求項１０に記載の照明装置。
【請求項１２】
それぞれが複数の光源からなる複数の光源群と光センサとが配置された光源基板と、
前記光源基板の前面側に設けられ、光を反射する反射部材と、
を備え、
前記反射部材は、対応する光源群に含まれる前記複数の光源が露出するように各光源群に設けられた複数の第１開口と、前記光センサが露出するように設けられ、前記光センサが隣接する光源群に対応する前記第１開口とつながっている第２開口と、を備え、
前記第２開口の幅は、前記第２開口とつながっている前記第１開口の幅よりも狭いことを特徴とする照明装置。
【請求項１３】
それぞれが第１光源と、前記第１光源と異なる第２光源とを含む複数の光源からなる複数の光源群が配置された光源基板と、
前記光源基板の前面側に設けられ、光を反射する反射部材と、
を備え、
前記反射部材は、各光源群の前記複数の光源が露出するように、前記複数の光源群に設けられた複数の第１開口を備え、
前記第１開口のうち、対応する前記光源群の前記第１光源に近接する前記第１開口の第１の幅よりも、対応する前記光源群の前記第２光源に近接する前記第１開口の第２の幅は、狭いことを特徴とする照明装置。
【請求項１４】
請求項１乃至請求項１３のいずれか１項に記載の照明装置と、
前記照明装置から照射された光を透過して画像を表示する表示手段と、
を備えることを特徴とする表示装置。
【発明の詳細な説明】
【技術分野】
【０００１】
本発明は、光源を備える照明装置と、その照明装置を備える表示装置に関する。
【背景技術】
【０００２】
光源を備えたバックライト（照明装置）と、バックライトから照射された光を透過して画像を表示する透過型の表示パネルを用いた、透過型のディスプレイがある。バックライトから表示パネルに好適に光を照射するために、バックライトの光源として、複数の光源を近接する位置に（クラスタ状に）配置する場合がある。
【０００３】
例えば、特許文献１の光源装置は、赤色を発光するＬＥＤと、緑色を発光するＬＥＤと、青色を発光するＬＥＤとを、色むらや輝度むらが発生しづらいように、クラスタ状に配置することが開示されている。
【０００４】
また、バックライトの各光源から発せられた光を、より効率的に表示パネルに照射させるために、バックライトの各光源が設けられる光源基板上に、反射シートを設けることがある。反射シートは、各光源から発せられた光を遮らないように、各光源が露出するように開口が設けられる。特許文献１には、クラスタ状に配置された光源群ごとに、略矩形の開口が設けられることが開示されている。
【先行技術文献】
【特許文献】
【０００５】
【特許文献１】特開２０１６−８１９０６号公報
【発明の概要】
【発明が解決しようとする課題】
【０００６】
しかしながら、特許文献１に開示された光源装置では、クラスタ状に配置された光源群に対応するように略矩形の開口をもうけることにより、開口面積が大きくなる場合がある。反射シートに設けられた開口が大きいほど、反射効率が低下する。例えば、バックライトの高輝度化に対応するために光源群の数を増やす場合に、開口による反射効率の低下によってバックライトの発光量が低下してしまう恐れがある。
【０００７】
本発明は、上記課題に鑑みて、複数の光源からなる光源群に対して開口を設けられる反射シートにおいて、反射効率の低下を抑制することが可能な照明装置を提供することを目的とする。
【課題を解決するための手段】
【０００８】
本発明の照明装置の一の形態は、それぞれが複数の第１光源と前記第１光源と異なる第２光源とを含む複数の光源からなる複数の光源群が配置された光源基板と、前記光源基板の前面側に設けられ、光を反射する反射部材と、を備え、前記反射部材は、各光源群の前記複数の光源が露出するように、前記複数の光源群に設けられた複数の第１開口を備え、  前記第１開口は、前記第１開口に対応する光源群の前記複数の第１光源の外周を囲む第１矩形領域のうち、前記第２光源の近傍に凹部を有する形状であることを特徴とする。
【発明の効果】
【０００９】
本発明の照明装置によれば、光源群に対する開口の面積を抑制することが可能となることから、複数の光源からなる光源群に対して開口を設けられる反射シートにおいて、反射効率の低下を抑制することが可能となる。
【図面の簡単な説明】
【００１０】
【図１】照明装置１００を備える表示装置１の分解斜視図である。
【図２】光源群７０とその周辺の構造を示す第１の模式図である。
【図３】光源群７０とその周辺の構造を示す第２の模式図である。
【図４】光源群７０とその周辺の構造を示す第３の模式図である。
【図５】複数の光源群７０と光センサ６１とその周辺の構造を示す第４の模式図である。
【図６】複数の光源群７０と光センサ６１とその周辺の構造を示す第５の模式図である。
【図７】複数の光源群７０と光センサ６１とその周辺の構造を示す第６の模式図である。
【発明を実施するための形態】
【００１１】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形（各実施例の有機的な組合せを含む）が可能であり、それらを本発明の範囲から除外するものではない。即ち、各実施例及びその変形例を組み合わせた構成も全て本発明に含まれるものである。
【００１２】
（第１の実施例）
図１は、第１の実施例の照明装置１００を備える表示装置１の分解斜視図である。表示装置１は、前面側から、フレーム１０、表示パネル２０、および照明装置１００を備える。ここで、前面とは、表示パネル２０に画像が表示される側である。また、背面とは、前面と反対側を示すものとする。
【００１３】
フレーム１０は、表示パネル２０の表示領域の周辺領域を前面から支持する支持部材である。フレーム１０は、表示パネル２０を後述する照明装置１００のパネルホルダー３０と挟んで支持する。フレーム１０は、表示パネル２０の表示領域が、表示装置１の前面に露出するように、開口を有する。フレーム１０は、プレス加工や機械加工により成形された金属部材であるとする。なお、フレーム１０は、樹脂成型で成形された樹脂部材であってもよい。
【００１４】
表示パネル２０は、照明装置１００から照射された光を透過して、表示領域に画像を表示する透過型の表示パネルである。例えば、表示パネル２０は、画素に対応する液晶素子を備える液晶パネルであるとする。
【００１５】
照明装置１００は、前面側から、パネルホルダー３０、光学シート４０、反射シート５０、光源基板６０および筺体８０を備える。
【００１６】
パネルホルダー３０は、表示パネル２０の表示領域の周辺領域を背面側から支持する支持部材である。また、パネルホルダー３０は、光学シート４０の周縁部を、前面側から支持する支持部材でもある。パネルホルダー３０は、光学シート４０の周縁部を、後述する筺体８０の一部と挟んで支持する。光学シート４０を透過した光を表示パネル２０に照射させるために、パネルホルダー３０は、中央に開口を有する枠状の部材である。例えば、パネルホルダー３０は、樹脂部材であるとする。パネルホルダー３０は、金属部材であってもよい。
【００１７】
光学シート４０は、パネルホルダー３０の背面側、かつ、光源基板６０の前面側に配置され、光源基板６０および反射シート５０から照射された光を拡散、もしくは集光して、前面に透過する光学部材である。光学シート４０は、複数枚の光透過性のシートを積層して構成され、シートには、光を拡散させる特性を持ったものや、表面に凹凸形状を有し光を集光させる特性をもったものなどを用いることができる。
【００１８】
反射シート５０は、光源基板６０の前面側に設けられる、光を反射する反射部材である。反射シート５０は、筺体８０の内壁に沿って折り曲げられる。これにより、反射シート５０は、光源基板６０の前面と筺体８０の内側とをほぼ覆う。反射シート５０は、光源基板６０から照射された光や、光学シート４０から反射された光が、光学シート４０に向かうように、反射する。例えば、反射シート５０は、高反射率の白色の発泡ＰＥＴシート材であるとする。なお、反射シート５０は、高反射膜を表面に塗布された金属薄板などを用いてもよい。
【００１９】
反射シート５０は、後述する光源基板６０の光源が露出するように複数の開口５１を備える。開口５１の詳細な形状については、後述する。また、光源基板６０に、光源基板６０から照射された光を検出するための光センサが配置されている場合、光センサが露出するように開口５２を備える。開口５２の詳細な形状については、第２の実施例で説明する。
【００２０】
光源基板６０は、複数の光源群７０が設けられる。各光源群７０は、複数の光源を有する。各光源群７０は、マトリクス状に配置されているとする。各光源群における、複数の光源の配置については、後述する。
【００２１】
筺体８０は、光源基板６０と反射シート５０とを収容し、前面側に光学シート４０とパネルホルダー３０とが設けられるケース部材である。筺体８０は、光源基板６０を背面側より覆い、周囲に持った壁部の内部に、反射シート５０、および光源基板６０を収納する。筺体８０と反射シート５０、および光源基板６０は、非図示のねじやリベット等の固定具よって固定される。筺体８０は、プレス加工や機械加工により成形された金属部材であるとする。なお、筺体８０は、樹脂成型で成形された樹脂部材であってもよい。筺体８０とパネルホルダー３０とは、ねじや爪勘合などの係合手段によって固定され、光学シート４０、反射シート５０、光源基板６０とともに、照明装置１００を構成する。
【００２２】
図２は、照明装置１００の前面側から見た１つの光源群７０とその周辺の構造を示す模式図である。光源群７０は、ひと固まりに集積して配置された複数の光源から構成される。
【００２３】
光源群７０は、複数の緑色の光を発する緑ＬＥＤ光源７１、複数の青色の光を発する青ＬＥＤ光源７２、および複数の赤色の光を発する赤ＬＥＤ光源７３で構成される。各光源は、長方形の外形を有する。例えば、各光源の外形は、長手方向に４．６ｍｍ、短手方向に３．４ｍｍの長方形であるとする。
【００２４】
各光源群７０において、緑ＬＥＤ光源７１同士の中心間の距離の最小値よりも、青ＬＥＤ光源７２間の距離、および赤ＬＥＤ光源７３間の距離のほうが短くなるように配置される。また、緑ＬＥＤ光源７１の長手方向は、青ＬＥＤ光源７２、および赤ＬＥＤ光源７３の長手方向に対して、略垂直の関係である。光源群７０の複数の緑ＬＥＤ光源７１の外周を囲む矩形領域Ｒ１は、光源群７０の青ＬＥＤ光源７２、および赤ＬＥＤ光源７３の外周を囲む矩形領域Ｒ２よりも大きい。
【００２５】
光源群７０は、光源基板６０に配置される。光源基板６０の前面側に配置された反射シート５０は、光源群７０の各光源を露出するように、複数の光源群７０それぞれに対して開口５１が設けられる。開口５１は、開口５１の縁が、光源群７０の各光源に対して、所定の距離Ｌ１だけ離れるように設けられる。距離Ｌ１は、反射シート５０の製作時の寸法公差、光源基板６０上に反射シート５０を固定する際の位置ずれ、表示装置１の駆動に伴う昇温による熱膨張等を考慮し、反射シート５０が光源群７０の光射出部に乗り上げて、遮ることがないように設定される。例えば、距離Ｌ１は０．７ｍｍであるとする。
【００２６】
図２に示すように、緑ＬＥＤ光源７１は、矩形領域Ｒ１の頂部に配置され、複数の緑ＬＥＤ光源７１の長手方向が同一の向きになるように配置される。青ＬＥＤ光源７２と赤ＬＥＤ光源７３とは、矩形領域Ｒ１の内側に、各光源の長手方向が緑ＬＥＤ光源７１の長手方向と垂直になるように配置される。
【００２７】
複数の青ＬＥＤ光源７２の長手方向の辺の一方は、それぞれ開口５１の縁に対向するように配置される。また、複数の青ＬＥＤ光源７２の長手方向の辺のもう一方は、互いに対向するように配置される。複数の青ＬＥＤ光源７２は、矩形領域Ｒ１の縁から、矩形領域Ｒ１の内側に離れて、配置される。例えば、複数の青ＬＥＤ光源７２は、矩形領域Ｒ１の縁から、０．９ｍｍ内側に配置されるとする。
【００２８】
複数の赤ＬＥＤ光源７３は、矩形領域Ｒ１内の頂部以外に配置され、短手方向の辺の一方が開口５１の縁に対向するように配置される。また、複数の赤ＬＥＤ光源７３の短手方向の辺のもう一方は、互いに対向するように配置される。複数の赤ＬＥＤ光源７３は、矩形領域Ｒ１の縁に、開口５１の縁に対応する辺が一致するように、配置される。
【００２９】
開口５１は、矩形領域Ｒ１に対して、各辺が距離Ｌ１以上離れた矩形領域Ｒ３からなる。さらに、開口５１は、矩形領域Ｒ３のうち、青ＬＥＤ光源７２の近傍に凹部を有する形状である。反射シート５０は、開口５１のうち、青ＬＥＤ光源７２の近傍に、青ＬＥＤ光源７２に向かって突出する凸部５１ａを有する。凸部５１ａは、青ＬＥＤ光源７２に対して距離Ｌ１だけ離れるように形成されるとする。開口５１の凹部は、反射シート５０の凸部５１ａに対応する。
【００３０】
また、開口５１が凹部を有することにより、図２に示すように、開口５１の青ＬＥＤ光源７２に近接する位置における開口５１の幅Ｗ２は、緑ＬＥＤ光源７１に近接する位置における開口５１の幅Ｗ１よりも狭い。
【００３１】
なお、凸部５１ａの形状は、表示装置１の駆動に伴う昇温による熱膨張や製造時の加工歪の残留などの影響で反りが生じにくくするため、アスペクト比（凸部５１ａの突出方向長さ／凸部５１ａの幅）を小さくすることが望ましい。例えば、凸部５１ａの突出方向長さは１．７ｍｍ、凸部５１ａの幅は６．２ｍｍであるとする。この場合、アスペクト比は約０．２７４である。
【００３２】
例えば、図２に示す開口５１の面積は、２７１ｍｍ２であるとする。上述のように、開口の幅を狭くした部分（凸部５１ａ）がない場合の、開口の面積は２９２ｍｍ２である。本実施例に記載のように、開口５１を構成することにより、開口の面積は７．２％低減する。反射シート５１の開口の面積が低下することにより、反射シート５０の光を反射することが可能な面積が増加することから、照明装置１００における反射シート５０の反射効率が増加する。したがって、光源基板６０の各光源から照射された光が、より、光学シート４０および表示パネル２０に到達することが可能となる。
【００３３】
例えば、光源基板６０に複数の光源群７０が表示領域の長手方向に長手方向に２１．３ｍｍ、短手方向に２１．５ｍｍごとにマトリクス状に配置され、各光源群７０に対応する開口５１以外は反射部材で覆われているとする。この場合、上述のように、開口５１を形成することにより、凸部５１ａがない場合に比べて、反射シート５０の反射可能な面積は１２．７％増加する。反射シート５０の反射可能な面積の増加に応じて、反射率は向上する。
【００３４】
なお、光源群７０と、開口５１とは、上述の例に限らない。図３は、光源群７０の赤ＬＥＤ光源７３の開口５１の縁と対向する短手方向の辺が、矩形領域Ｒ１の縁から、矩形領域Ｒ１の内側に離れて、配置された場合の光源群７０と開口５１とを示す模式図である。例えば、複数の赤ＬＥＤ光源７３は、矩形領域Ｒ１の縁から、１．１ｍｍ内側に配置されるとする。この場合、反射シート５０の開口５１の赤ＬＥＤ光源７３に近接する位置における幅Ｗ３は、緑ＬＥＤ光源７１に近接する位置における幅Ｗ１よりも狭い。また、開口５１は、矩形領域Ｒ１の内側に配置された赤ＬＥＤ光源７３に向かって突出する凸部を有する。図３に示すように開口５１を形成することにより、さらに開口５１の面積を低下し、反射効率を向上させることが可能となる。
【００３５】
図４は、青ＬＥＤ光源７２と、紫外光を発する紫外ＬＥＤ光源７４とからなる光源群７０と、光源群７０に対応する開口５１とを示す模式図である。このような光源群７０は、光学シート４０に、青色の光が入射することに応じて赤色の光と緑色の光が励起して出力され、紫外光が入射することに応じて赤色の光と緑色の光と青色の光とが励起して出力される量子ドットシートを採用する場合に有効である。上述の構成によれば、青ＬＥＤ光源７２と、紫外ＬＥＤ光源７４とから光を照射することにより、白色光が光学シート４０から出力される。
【００３６】
図４に示すように、青ＬＥＤ光源７２の長手方向と、紫外ＬＥＤ光源７４の長手方向が垂直になるように配置されるとする。この場合、青ＬＥＤ光源７２に近接する開口５１の幅Ｗ１よりも、紫外ＬＥＤ光源７４に近接する開口５１の幅Ｗ２のほうが狭い。言い換えると、紫外ＬＥＤ光源７４の近傍に、反射シート５０の凸部が形成される。図４に示す場合においても、開口５１の面積を低下させることが可能となり、反射効率を増加させることが可能となる。
【００３７】
なお、光源群７０を構成する光源は、それぞれ異なる色の光を発する複数の光源を含むものでなくともよい。白色光を発する複数の光源からなる光源群７０に対して、上述のように開口５１を形成することも可能である。
【００３８】
第１の実施例に記載の照明装置によれば、光源群に対する開口の面積を抑制することが可能となることから、複数の光源からなる光源群に対して開口を設けられる反射シートにおいて、反射効率の低下を抑制することが可能となる。
【００３９】
（第２の実施例）
以下、図面に基づいて本発明の第２の実施例について説明する。第２の実施例の表示装置１の分解斜視図は、第１の実施例と同様であるので、説明を省略する。また、第１の実施例と同様の構成についての説明は省略する。また、光源群７０の構成は、第１の実施例と同様とし、各光源の配置は図２の配置と同様であるとする。
【００４０】
図５は、第２の実施例に係る光源群７０、開口５１、および開口５２の構成の一例を示す図である。図５（ａ）は、前面側から、３列×２行の複数の光源群７０の部分を抜き出して示している。図５（ｂ）は、図５（ａ）中のＡＡ‘断面を示す図である。
【００４１】
光センサ６１は、光源群７０から射出される光を検出するセンサである。光源基板６０には、光源群７０の他、光センサ６１が実装されている。光センサ６１は、２つの光源群７０の対向する赤ＬＥＤ光源７３に挟まれた領域に配置される。例えば、光センサ６１は、フォトダイオードであるとする。光センサ６１は、フォトトランジスタといった従来用いられる輝度センサを用いるものであってもよい。
【００４２】
また、光源群７０から射出された光の色を検出するカラーセンサを使用することができる。輝度、色の双方を検出する光センサを用いることもできる。また、光センサ６１の近傍には電流電圧変換回路などを形成するための電子部品（オペアンプやコンデンサ、抵抗など）が実装されている。
【００４３】
反射シート５０には、光源群７０を露出する複数の開口５１、および、光センサ６１を露出する開口５２が設けられる。図５（ａ）において、開口５２は、点線で示した矩形領域である。開口５２は、隣接する光源群７０に対応する開口５１と連通して、１つの大開口を形成する。開口５２が開口５１と連通する方向と垂直な方向における幅は、開口５１の同方向における幅の最大値よりも狭い。また、開口５２の面積は、開口５１の面積よりも小さい。例えば、開口５２の開口５１と連通する方向と垂直な方向における幅は、１２ｍｍであるとする。
【００４４】
開口５２と開口５２と連通する開口５１で形成された大開口は、光センサ６１と面する辺に凸部を有しているともいえる。凸部は、光センサ６１に隣接する光源群７０の各光源を含む矩形領域Ｒ３に対して、矩形領域Ｒ３の内側に突出する。凸部は、光センサ６１に隣接する光源群７０の各光源と光センサ６１とに反射シート５０が乗り上げないように、各光源および光センサ６１に対して、距離Ｌ１以上離れて形成される。凸部は、表示装置１の駆動に伴う昇温による熱膨張や製造時の加工歪の残留などの影響で反りが生じにくくするため、アスペクト比（凸部の突出方向長さ／凸部の幅）を小さくすることが望ましい。
【００４５】
また、光源基板６０が複数の光センサ６１を有している場合、開口５２は、複数の光センサ６１それぞれに対応するように設けられる。つまり、開口５２は、光センサ６１と同数が設けられる。
【００４６】
反射シート５０には、開口５２の両側に、貫通穴５３が設けられている。つまり、貫通穴５５は、開口５２に隣接して設けられる。
【００４７】
光源基板６０には、貫通穴５３と対応した位置に、貫通穴６２が設けられている。反射シート５０および光源基板６０は、貫通穴５３および貫通穴６２に挿通されるねじ８１等の締結部材によって、筺体８０に設けられた目ねじ部８２に係合させ、筺体８０に固定される。
【００４８】
図６は、第２の実施例に係る光源群および開口の変形例を示す模式図である。図６は、光センサ６１が２つの光源群７０の対向する青ＬＥＤ光源７２に挟まれた領域に配置されている例を示す。
【００４９】
なお、本実施例では、３列×２行の合計６個の光源群７０のうち、２つの光源群７０に光センサ６１が挟まれた例を示したが、光センサ６１の位置はこれに限るものではない。光センサ６１は複数の光源群７０に囲われた領域に配置されていればよい。また、本実施例では、開口５２は開口５１の２つと連通した例を示したが、これに限るものではない。２以上の開口５１と開口５２が連通していてもよい。図７は、第２の実施例に係る光源群および開口の変形例を示す模式図である。図７は、光センサ６１が４つの光源群７０の近接する緑ＬＥＤ光源７１に囲われた領域に配置された場合を示す。この場合、開口５２は、４つの開口５１と連通する。
【００５０】
第２の実施例に記載の照明装置によれば、光源群に対する開口の面積を抑制することが可能となることから、複数の光源からなる光源群に対して開口を設けられる反射シートにおいて、反射効率の低下を抑制することが可能となる。さらに、光源基板６０に光センサ６１が設けられている場合に、光センサを露出するための開口の面積を抑制することが可能となることから、反射効率の低下を抑制することが可能となる。
【符号の説明】
【００５１】
１  表示装置
１００  照明装置
５０  反射シート
５１、５２  開口
６０  光源基板
６１  光センサ
７０  光源群
７１  緑ＬＥＤ光源
７２  青ＬＥＤ光源
７３  赤ＬＥＤ光源
８０  筺体
【図１】
2018032586.tif 000003
【図２】
2018032586.tif 000004
【図３】
2018032586.tif 000005
【図４】
2018032586.tif 000006
【図５】
2018032586.tif 000007
【図６】
2018032586.tif 000008
【図７】
2018032586.tif 000009